(57)【要約】【課題】  靴内の換気を確実かつ十分に行うことができる上、構造が簡単であってコストを抑えることのできる靴を提供する。【解決手段】  靴１の中底２２上面と中敷４との間に換気用エアポンプ５が介在される。エアポンプは、袋状のポンプ本体５１と、ポンプ本体から前方にのびる通気ダクト５２と、ポンプ本体内に配されたクッション材５３とを備える。中敷は、足裏の踵に対応する部分に、該部分を上方凸状に成形することによって中敷下面側に形成されかつポンプ本体の上側膨出部５１ａが収められる下方開口凹部４１を有し、足裏の第２ないし第４中足骨底付近に対応する部分に隆起部４３を有し、該隆起部の前端に隣接して通気用垂直貫通孔４５を有する。垂直貫通孔と合致する空気出入口５２１が、通気ダクトの先端部に上向きに形成されている。【選択図】  図２
0003117483.tif 000002
【実用新案登録請求の範囲】
【請求項１】
中底（２２）上面と中敷（４）との間に換気用エアポンプ（５）が介在され、
該エアポンプ（５）は、可撓性を有しかつ上下のうち少なくとも上側に膨出する袋状のポンプ本体（５１）と、ポンプ本体（５１）に連通して前方にのびる通気ダクト（５２）と、ポンプ本体（５１）内に配されたクッション材（５３）とを備え、
中敷（４）は、足裏の踵に対応する部分に、該部分を上方凸状に成形することによって中敷（４）下面側に形成されかつポンプ本体（５１）の上側膨出部（５１ａ）が収められる下方開口凹部（４１）を有し、足裏の第２ないし第４中足骨底付近に対応する部分に隆起部（４３）を有しているとともに、該隆起部（４３）の前端に隣接して通気用垂直貫通孔（４５）を有しており、
該垂直貫通孔（４５）と合致する空気出入口（５２１）が、通気ダクト（５２）の先端部に上向きに形成されていることを特徴とする、靴。
【請求項２】
甲被（３）の外側部および内側部のうち少なくともいずれか一方に、中敷（４）の通気用垂直貫通孔（４５）に近接して通気部（３３）が設けられていることを特徴とする、請求項１に記載の靴。
【請求項３】
ポンプ本体（５１）が、上下両側に膨出する袋状のものであって、ポンプ本体（５１）の下側膨出部（５１ｂ）が収められる上方開口凹部（２２１）が、中底（２２）上面における足裏の踵に対応する部分に形成されていることを特徴とする、請求項１または２に記載の靴。
【請求項４】
中敷（４）の下面に換気用エアポンプ（５）が接合されてなり、
該エアポンプ（５）は、可撓性を有しかつ上下のうち少なくとも上側に膨出する袋状のポンプ本体（５１）と、ポンプ本体（５１）に連通して前方にのびる通気ダクト（５２）と、ポンプ本体（５１）内に配されたクッション材（５３）とを備え、
中敷（４）は、足裏の踵に対応する部分に、該部分を上方凸状に成形することによって中敷（４）下面側に形成されかつポンプ本体（５１）の上側膨出部（５１ａ）が収められる下方開口凹部（４１）を有し、足裏の第２ないし第４中足骨底付近に対応する部分に隆起部（４３）を有しているとともに、該隆起部（４３）の前端に隣接して通気用垂直貫通孔（４５）を有しており、
該垂直貫通孔（４５）と合致する空気出入口（５２１）が、通気ダクト（５２）の先端部に上向きに形成されていることを特徴とする、エアポンプ付き中敷。
【考案の詳細な説明】
【技術分野】
【０００１】
本考案は、靴内を換気する機能を有する靴、および、靴内を換気するためのエアポンプを備えた靴の中敷に関する。
【背景技術】
【０００２】
靴内換気機能を有する靴として、靴底にエアポンプを組み込んだものが従来より知られている（例えば、下記特許文献１および２参照）。
該エアポンプは、一般的に、可撓性を有する袋状のポンプ本体と、ポンプ本体またはポンプ本体に一端が接続された吸気ダクトの他端に設けられた空気入口と、ポンプ本体から前方にのびかつ先端に空気出口を有する排気ダクトとを備えてなり、中底上面と中敷との間に介在される。ポンプ本体は、足裏の踵に対応する位置に配置されていて、歩行に伴う体重の加除により交互に膨張収縮させられ、それによってポンプ機能を果たす。排気ダクトの空気出口は、中敷の爪先部等にあけられた孔に通じるようになされている。また、空気入口および／または空気出口と、ポンプ本体との間には、逆止弁が設けられている。
【０００３】
しかしながら、従来のエアポンプ付き靴の場合、エアポンプの排気ダクトから送り出される空気が中敷の平坦な上面部分にあけられた孔を通じて靴の内部空間に供給されるようになっているため、場合によっては前記孔が足裏で塞がれて空気の供給が妨げられることがあり、また、靴の内部空間全体に空気が行き渡り難く、靴内の換気が十分に行われないという問題があった。
しかも、従来の換気用エアポンプは、上述のように２つのダクトと逆止弁を備えた複雑な構造のものであるため、コストが高くつくという問題があった。
【０００４】
一方、靴やサンダル等の履物として、靴底の接足面における足裏の第２ないし第４中足骨底付近に対応する部分に隆起部が設けられたものが知られている。この隆起部は、足の内側縦アーチおよび外側縦アーチを保持する機能を有するものである（下記特許文献３参照）。
【特許文献１】実用新案登録第３１０７１３８号公報
【特許文献２】実開昭６０−１２６００３号公報
【特許文献３】特開２００５−１８５６７５号公報
【考案の開示】
【０００５】
本考案の目的は、靴内の換気を確実かつ十分に行うことができる上、構造が簡単であってコストを抑えることのできる靴、およびエアポンプ付き中敷を提供することにある。
【０００６】
本考案者は、上述した靴底接足面のアーチ保持用隆起部に着目し、該隆起部の近傍にエアポンプからの空気の出入口を設けることによって、上記目的を達成し得ることを見出し、本考案を完成するに至った。
【０００７】
即ち、本考案による靴は、中底上面と中敷との間に換気用エアポンプが介在されているものであって、該エアポンプは、可撓性を有しかつ上下のうち少なくとも上側に膨出する袋状のポンプ本体と、ポンプ本体に連通して前方にのびる通気ダクトと、ポンプ本体内に配されたクッション材とを備えている。中敷は、足裏の踵に対応する部分に、該部分を上方凸状に成形することによって中敷下面側に形成されかつポンプ本体の上側膨出部が収められる下方開口凹部を有し、足裏の第２ないし第４中足骨底付近に対応する部分に隆起部を有しているとともに、該隆起部の前端に隣接して通気用垂直貫通孔を有している。そして、該垂直貫通孔と合致する空気出入口が、通気ダクトの先端部に上向きに形成されている。
【０００８】
本考案による靴を履いて歩行した場合、着地時には、足の踵の下方に位置するポンプ本体に体重が加わって該ポンプ本体が収縮させられ、それによりポンプ本体内の空気が通気ダクト先端の空気出入口から中敷の通気用垂直貫通孔を経て靴の内部空間に供給される。ここで、上記垂直貫通孔は、中敷における隆起部の前端に設けられていて、該隆起部によって保持された足の内外両側縦アーチの下方に位置するため、足裏で塞がれるおそれがなく、ここから靴の内部空間のほぼ全体に空気が行き渡る。次に、靴のヒールが地面から離れる際には、ポンプ本体に加わっていた体重が除かれ、それによってポンプ本体の形態が復元、即ち膨張するとともに、中敷の通気用垂直貫通孔から通気ダクトの空気出入口を通じてポンプ本体内に空気が吸引される。以上の自働的操作が歩行に伴って交互に行われることにより、靴内の換気が連続的に行われる。また、本考案の靴のポンプ本体内にはクッション材が配されているため、該クッション材によって着地の際に足の踵にかかる衝撃が吸収緩和される上、該クッション材の弾性復元力により、ポンプ本体が収縮状態から膨張状態に復元し易くなる。
【０００９】
以上の通り、本考案の靴によれば、エアポンプによって靴内の換気を確実にかつ十分に行うことができる。しかも、本考案の靴によれば、エアポンプがポンプ本体と通気ダクトとクッション材とで構成されていて構造が簡単であるので、従来のエアポンプ付き靴と比べてコストを低く抑えることができる。
【００１０】
本考案による靴において、甲被の外側部および内側部のうち少なくともいずれか一方に、中敷の通気用垂直貫通孔に近接して通気部が設けられているのが好ましい。
【００１１】
上記のような通気部が甲被の側部に設けられていれば、エアポンプの機能と相俟って、靴の内部空間の空気の排出および同空間への外気の導入がよりスムーズに行われ、靴内が更に効率的に換気される。
【００１２】
また、本考案による靴において、ポンプ本体が、上下両側に膨出する袋状のものであって、ポンプ本体の下側膨出部が収められる上方開口凹部が、中底における足裏の踵に対応する部分に形成されているのが好ましい。
【００１３】
ポンプ本体および中底上面が上記のような構成を有していれば、ポンプ本体の位置決めが容易となって組み込み後の位置ズレも生じ難い上、ポンプ本体の容積を大きくすることが可能となり、それによってエアポンプの換気機能が更に向上する。
【００１４】
次に、本考案によるエアポンプ付き中敷は、中敷の下面に換気用エアポンプが接合されてなり、該エアポンプは、可撓性を有しかつ上下のうち少なくとも上側に膨出する袋状のポンプ本体と、ポンプ本体に連通して前方にのびる通気ダクトと、ポンプ本体内に配されたクッション材とを備えている。中敷は、足裏の踵に対応する部分に、該部分を上方凸状に成形することによって中敷下面側に形成されかつポンプ本体の上側膨出部が収められる下方開口凹部を有し、足裏の第２ないし第４中足骨底付近に対応する部分に隆起部を有しているとともに、該隆起部の前端に隣接して通気用垂直貫通孔を有している。そして、該垂直貫通孔と合致する空気出入口が、通気ダクトの先端部に上向きに形成されている。
【００１５】
したがって、本考案によるエアポンプ付き中敷によれば、これを靴の中底上面に配置することによって、前述した本考案の靴と同様の効果、即ち、エアポンプによる確実かつ十分な換気機能の確保およびコストダウンという効果をもたらすことができる。
しかも、本考案のエアポンプ付き中敷の場合、換気用エアポンプが中敷と接合一体化されているため、靴底への組み込みが容易であり、中敷に対するエアポンプの位置ズレによる不具合が生じ難いという利点もある。
【考案を実施するための最良の形態】
【００１６】
次に、図１〜５を参照して本考案の実施形態を説明する。なお、各図面は本考案による靴のうち左足用のものを示しており、図１は靴の内側面図、図２は靴の要部拡大縦断面図、図３は靴に用いられているエアポンプ付き中敷の底面図、図４は同中敷の平面図、図５はエアポンプの分解斜視図である。
【００１７】
本実施形態の靴（１）は、図１および２に示すような靴底（２）と甲被（３）とを備えている。靴底（２）は、本底（２１）と、甲被（３）の吊り込み代（３１）とともに本底（２１）上面に接合された中底（２２）とを備えている。中底（２２）上面には、中敷（４）が配されている。中底（２２）上面と中敷（４）との間には、換気用エアポンプ（５）が介在されている。
【００１８】
エアポンプ（５）は、可撓性を有しかつ上下両側に膨出する袋状のポンプ本体（５１）と、ポンプ本体（５１）に連通して前方に延びかつ先端に上向きの空気出入口（５２１）を有する通気ダクト（５２）と、ポンプ本体（５１）内に配されたクッション材（５３）とを備えている。この実施形態では、エアポンプ（５）は、中敷（４）の下面に接合されて、中敷（４）と一体化されている。
【００１９】
エアポンプ（５）のポンプ本体（５１）および通気ダクト（５２）は、図５に示す通り、上下１対の熱可塑性合成樹脂製シート片（５０Ａ）（５０Ｂ）を重ね合わせて接合することにより形成されている。
【００２０】
下側のシート片（５０Ａ）は、周縁部を除く部分に皿状成形部（５０１Ａ）を有するポンプ本体形成用楕円形部（５０１）と、楕円形部（５０１）の前端に連なって前方にのびる通気ダクト形成用帯状部（５０２）とよりなる。帯状部（５０２）の前端部分には、左右両側にやや張り出した幅広部（５０２Ａ）が設けられている。
【００２１】
上側のシート片（５０Ｂ）は、下側のシート片（５０Ａ）とほぼ同一の輪郭形状を有するものであって、周縁部を除く部分にドーム状成形部（５０１Ｂ）を有するポンプ本体形成用楕円形部（５０１）と、楕円形部（５０１）の前端に連なって前方にのびる通気ダクト形成用帯状部（５０２）とよりなる。帯状部（５０２）の前端部分には、左右両側にやや張り出した幅広部（５０２Ａ）が設けられている。また、楕円形部（５０１）の前端部分から帯状部（５０２）の幅中央部を前方にのびて幅広部（５０２Ａ）まで達する部分に、畝状成形部（５０２Ｂ）が、ドーム状成形部（５０１Ｂ）と連通するように設けられている。畝状成形部（５０２Ｂ）の前端部分には、上面に開口した孔があけられ、この孔によって空気出入口（５２１）が形成されている。
【００２２】
これら２枚のシート片（５０Ａ）（５０Ｂ）は、皿状成形部（５０１Ａ）とドーム状成形部（５０１Ｂ）との間にクッション材（５３）を挟むようにして、対向する平坦な周縁部どうしをヒートシールすることにより、接合一体化される（図２等参照）。
【００２３】
クッション材（５３）は、略楕円板状のものであって、通常、ポンプ本体（５１）の空気容量をなるべく減殺しないように、スポンジ等の多孔質弾性材料によって形成されている。
【００２４】
中底（２２）上面における足裏の踵に対応する部分には、ポンプ本体（５１）の下側膨出部（５１ｂ）が収められる上方開口凹部（２２１）が形成されている。この実施形態では、上方開口凹部（２２１）は、中底（２２）の踵対応部分を平面より見て略楕円形に切り抜くことによって形成されているが、有底状とすることも可能である。
【００２５】
中敷（４）は、通常、可撓性およびクッション性を有する合成樹脂発泡体等の材料によって形成される。
【００２６】
中敷（４）における足裏の踵に対応する部分には、ポンプ本体（５１）の上側膨出部（５１ａ）が収められる第１の下方開口凹部（４１）が設けられている。この下方開口凹部（４１）は、中敷（４）の踵対応部分をドーム状に成形することによって、その下面側に形成されている。
以上の構成により、中敷（４）上面の踵対応部分には、後部隆起部（４２）が形成されている。該隆起部（４２）は、その下方にエアポンプ（５）のポンプ本体（５１）およびその内部に収容されたクッション材（５３）が配されているため、歩行時等に足の踵の衝撃を吸収緩和する機能を果たすことができる。
【００２７】
中敷（４）における足裏の第２ないし第４中足骨底付近に対応する部分には、中央隆起部（隆起部）（４３）が形成されている。この隆起部（４３）によって、足の内側縦アーチおよび外側縦アーチが保持される。
この実施形態では、中央隆起部（４３）は、中敷（４）の前記部分を上方凸状に成形するとともに、その下面側に形成された第２の下方開口凹部（４４）に保形材（４５）を配置固定することによって形成されている。
保形材（４５）は、足の各アーチを保持し得る程度の硬度を有することが必要であるが、それと同時に、履いた際に足裏に違和感を与えない程度の弾性を有しているのが好ましく、例えばラテックスゴム等によって形成される。なお、中央隆起部（隆起部）（４３）は、上記構成のものには限定されず、その他、例えば、中敷（４）を前記部分の上面側が隆起するように部分的に厚肉に成形することによっても構成することができる。
【００２８】
中敷（４）における中央隆起部（４３）の前端に隣接して、通気用垂直貫通孔（４５）があけられている。この垂直貫通孔（４５）は、エアポンプ（５）の空気出入口（５２１）と合致させられている。
【００２９】
中敷（４）の屈曲部（足裏の第１〜第５指付け根部に対応する部分）には、平面より見て円形の２つの低い前部隆起部（４６）が横に並んで設けられている(図３および図４参照)。これらの前部隆起部（４６）は、中敷（４）の屈曲部の内外２箇所を上方凸状に成形するとともに、その下面側に形成された第３の下方開口凹部（４７）にクッション材（４８）を配置固定することによって形成されており、歩行時における足裏の屈曲部への衝撃の吸収緩和等の機能を果たす。クッション材（４８）としては、スポンジ等が用いられる。
【００３０】
中敷（４）下面における第１の下方開口凹部（４１）と第２の下方開口凹部（４４）との間の部分には、該部分に位置する通気ダクト（５２）の上面側凸部（畝状成形部（５０２Ｂ））が嵌め入れられる溝（４９）が形成されている。通気ダクト（５２）の残りの部分は、保形材（４５）を下から支えるように第２の下方開口凹部（４４）を前後に跨いでいる。
【００３１】
この実施形態では、エアポンプ（５）は、平坦な周縁部の上面が中敷（４）下面に接着剤によって接合されることによって、中敷（４）と一体化されている。したがって、このエアポンプ（５）付き中敷（４）を靴（１）内に挿入して、ポンプ本体（５１）の下側膨出部（５１ｂ）が上方開口凹部（２２１）に収まるように中底（２２）上面に配置するだけで、靴底（２）にエアポンプ（５）を組み込むことが可能である。また、中敷（４）とエアポンプ（５）とを予め接合一体化しておくことにより、中敷（４）に対しエアポンプ（５）が位置ズレを起こして不具合を生じる心配がない。
【００３２】
甲被（３）は、図１および２において、履き口部（３２）の緊締開閉手段として靴紐（図示略）を用いるタイプのものが例示されている。
甲被（３）の内側部には、中敷（４）の通気用垂直貫通孔（４５）に近接して通気部（３３）が設けられている。この実施形態では、通気部（３３）は、甲被（３）の内側部下縁部分に取り付けられた複数の鳩目（６）の開口部によって形成されている。各鳩目（６）の開口部は、土砂等の異物が靴内に浸入しないように金網（６１）で覆われている。この通気部（３３）を通して、靴（１）の内部空間の換気が効果的に行われる。もっとも、通気部の構成は上記には限定されず、その他、例えば甲被の所要部分をメッシュ素材等の通気性材料で構成することによっても通気部を構成することができる。
甲被（３）の内外両側部のうち履き口部（３２）に近い上側部分は、通気性に富むニット（３４）によって形成されている。
【００３３】
上記の靴（１）を履いて歩行した場合、まず、着地時には、足裏の踵の下方に位置するポンプ本体（５１）に体重が加わって該ポンプ本体（５１）が収縮させられ、それによってポンプ本体（５１）内の空気が通気ダクト（５２）先端の空気出入口（５２１）から中敷（４）の通気用垂直貫通孔（４５）を経て靴（１）の内部空間に送り出される（図２参照）。ここで、通気用垂直貫通孔（４５）は、中敷（４）における中央隆起部（４３）の前端に隣接して設けられていて、該隆起部（４３）によって保持された足の２つの縦アーチの下方に位置するため、足裏で塞がれるおそれがなく、ここから靴（１）の内部空間のほぼ全体に空気が行き渡る。また、着地の際、ポンプ本体（５１）内のクッション材（５３）も体重を受けて圧縮されるため、それによって着地時に足の踵にかかる衝撃が吸収緩和される。エアポンプ（５）によって靴（１）内に送り出された空気は、その後、甲被（３）の通気部（３３）や履き口部（３２）等を通じて靴（１）の外部に放出される。
【００３４】
次に、靴（１）のヒールが地面から離れる際には、ポンプ本体（５１）に加わっていた体重が除かれ、それによってポンプ本体（５１）の形態が復元（膨張）するとともに、ポンプ機能によって中敷（４）の通気用垂直貫通孔（４５）から通気ダクト（５２）先端の空気出入口（５２１）を経てポンプ本体（５１）内に空気が吸引される。この際、靴（１）内には、主として甲被（３）の通気部（３３）から外気が導入される。また、この場合、圧縮されていたクッション材（５３）も同時に復元するため、クッション材（５３）の弾性復元力によってポンプ本体（５１）の形態の復元がサポートされ、エアポンプ（５）のポンプ機能が確実に働く。
【００３５】
以上の自働的操作が歩行に伴って交互に行われることにより、靴（１）内の換気が連続的に行われ、靴内が快適な状態に保たれる。
【００３６】
なお、上記の実施形態はあくまでも例示にすぎず、実用新案登録請求の範囲に記載した本考案の要旨を逸脱しない範囲内で適宜変更を加えた上で本考案を実施することも勿論可能である。
【図面の簡単な説明】
【００３７】
【図１】本考案の実施形態を示すものであって、靴の内側面図である。
【図２】上記靴の要部拡大縦断面図である。
【図３】上記靴に用いられているエアポンプ付き中敷の底面図である。
【図４】同中敷の平面図である。
【図５】エアポンプの分解斜視図である。
【符号の説明】
【００３８】
（１）：靴
（２２）：中底
（２２１）：上方開口凹部
（３）：甲被
（３３）：通気部
（４）：中敷
（４１）：第１の下方開口凹部（下方開口凹部）
（４３）：中央隆起部（隆起部）
（４５）：通気用垂直貫通孔
（５）：エアポンプ
（５１）：ポンプ本体
（５１ａ）：上側膨出部
（５１ｂ）：下側膨出部
（５２）：通気ダクト
（５２１）：空気出入口
（５３）：クッション材
【図１】
0003117483.tif 000003
【図２】
0003117483.tif 000004
【図３】
0003117483.tif 000005
【図４】
0003117483.tif 000006
【図５】
0003117483.tif 000007